(57)【要約】      （修正有）【課題】側壁と天井の一方のみに穴加工を施し、固定時におけるガラスの破損もない展望用エレベータのかご室を提供する。【解決手段】互いの一縁部を近接させて配置される側壁４と天井５及び側壁４同士の少なくとも一方に形成されるガラス同士の合わせ目で、ガラスの双方を固定するガラス保持部材９を備えた展望用エレベータのかご室において、一方のガラスは、貫通穴が形成され、他方のガラスは、貫通穴が形成されず、ガラス保持部材９は、一片が貫通穴を貫通する締結具８により一方のガラスと固定されるとともに、他片が他方のガラスの一縁部を挟み込んで固定する構成とした。【選択図】図１
2008063096.tif 000002
【特許請求の範囲】
【請求項１】
互いの一縁部を近接させて配置される側壁と天井及び側壁同士の少なくとも一方に形成されるガラス同士の合わせ目で、前記ガラスの双方を固定するガラス保持部材を備えた展望用エレベータのかご室において、
一方の前記ガラスは、貫通穴が形成され、
他方の前記ガラスは、貫通穴が形成されず、
前記ガラス保持部材は、一片が前記貫通穴を貫通する締結具により前記一方のガラスと固定されるとともに、他片が前記他方のガラスの一縁部を挟み込んで固定することを特徴とする展望用エレベータのかご室。
【請求項２】
他方のガラスの一縁部は、ガラス保持部材の挟み込み面との間にシーリング材が充填されていることを特徴とする請求項１記載の展望用エレベータのかご室。
【請求項３】
他方のガラスの一縁部とガラス保持部材の挟み込み面の間に、前記他方のガラスのがたつきを防止する弾性体からなるバックアップ材が配置された後、前記バックアップ材に到達するまでシーリング材が充填されることを特徴とする請求項２記載の展望用エレベータのかご室。
【請求項４】
ガラス保持部材の挟み込み面は、他方のガラスの一縁部が配置される凹部で形成されることを特徴とする請求項１〜請求項３のいずれかに記載の展望用エレベータのかご室。
【請求項５】
一方のガラスの一縁部は、ガラス保持部材に形成される別の凹部に配置されることを特徴とする請求項１〜請求項４のいずれかに記載の展望用エレベータのかご室。
【請求項６】
一方のガラスとガラス保持部材の別の凹部との間及び他方のガラスとガラス保持部材の凹部との間の少なくとも一方に、前記ガラスの破損防止、設置誤差の吸収を行う弾性体からなる緩衝材が介在されることを特徴とする請求項４又は請求項５に記載の展望用エレベータのかご室。
【発明の詳細な説明】
【技術分野】
【０００１】
この発明は、側壁及び天井がガラスで形成される展望用エレベータのかご室に関するものである。
【背景技術】
【０００２】
従来の展望用エレベータのかご室を図３〜図９を用いて説明する。図３は従来の展望用エレベータのかご室の平面図、図４は従来の展望用エレベータのかご室の横断面図、図５は図３のＡ−Ａ線における断面図、図６は図３のＢ−Ｂ線における断面図、図７は図３のＣ−Ｃ線における断面図、図８は従来の展望用エレベータにおけるかご室の側壁と天井の第一の保持部を示す図７のＤ部拡大図、図９は従来の展望用エレベータにおけるかご室の側壁と天井の第二の固定部を示す図８相当図である。
【０００３】
図において、１は昇降路内を昇降する展望用エレベータのかご室の床面、２はかご室の出入口で開閉するかごの戸、３はかご室の奥部に配置され、かご室の床面１の一縁部及びこの一縁部と繋がる両側縁部の一部から立設される巾木、４はガラスで形成され、巾木３の上縁部に立設されるかご室の側壁、５はガラスで形成され、かご室の側壁４の上縁部と一縁部を近接させて配置されるかご室の天井、６はかご室の側壁４に沿って設置される手摺、７はかご室の出入口の側方に設置されるかご操作盤である。
【０００４】
図８で示すように、かご室の側壁４と天井５は、それぞれ、上縁部近傍、一縁部近傍に穴加工が施され、強化処理されており、貫通穴を貫通する皿ねじからなる締結具８がかご室の外側からかご室の内側に配置されるガラス保持部材９の両端にねじ込まれることにより固定されている。また、かご室の側壁４の上縁部と天井５の一縁部で形成される合わせ目の隙間にはシーリング材１０が施されている。図９は従来のガラス保持部材９の変形例を示している。
【０００５】
また、別の従来のエレベータのかご室として、かご側壁パネルの表面にガラスを貼り付けして構成したエレベータのかご室において、ガラスをガラス幅に差異をつけた合わせガラスとし、外側ガラス幅よりわずかに幅広にした内側ガラスの端部を金具で押さえると共に、外側ガラスの隣接する間隙にコーキング材を施工したことを特徴とするエレベータのかご室が提案されている（例えば、特許文献１参照）。
【０００６】
【特許文献１】特開２０００−２１１８５３号公報
【発明の開示】
【発明が解決しようとする課題】
【０００７】
従来の展望用エレベータのかご室では、かご室の側壁４、天井５双方の貫通穴の相対的な位置精度が悪い場合には固定ができず、無理に締結具８を貫通穴に貫通させて固定しようとすると破損することもあった。
【０００８】
また、特許文献１記載のものは、かご室内の意匠性を向上させるガラス貼りに関するもので、ガラスのみで形成される展望用エレベータのかご室の側壁４と天井５の固定については考慮されていない。
【０００９】
この発明は、上述のような課題を解決するためになされたもので、その目的は、側壁４と天井５の一方のみに穴加工を施し、固定時におけるガラスの破損もない展望用エレベータのかご室を提供することである。
【課題を解決するための手段】
【００１０】
この発明に係る展望用エレベータのかご室は、互いの一縁部を近接させて配置される側壁と天井及び側壁同士の少なくとも一方に形成されるガラス同士の合わせ目で、前記ガラスの双方を固定するガラス保持部材を備えた展望用エレベータのかご室において、一方の前記ガラスは、貫通穴が形成され、他方の前記ガラスは、貫通穴が形成されず、前記ガラス保持部材は、一片が前記貫通穴を貫通する締結具により前記一方のガラスと固定されるとともに、他片が前記他方のガラスの一縁部を挟み込んで固定するものである。
【発明の効果】
【００１１】
この発明は、互いの一縁部を近接させて配置される側壁と天井及び側壁同士の少なくとも一方に形成されるガラス同士の合わせ目で、前記ガラスの双方を固定するガラス保持部材を備えた展望用エレベータのかご室において、一方の前記ガラスは、貫通穴が形成され、他方の前記ガラスは、貫通穴が形成されず、前記ガラス保持部材は、一片が前記貫通穴を貫通する締結具により前記一方のガラスと固定されるとともに、他片が前記他方のガラスの一縁部を挟み込んで固定する構成としたことで、側壁と天井の一方のみに穴加工を施し、固定時におけるガラスの破損もない展望用エレベータのかご室を提供することができる。
【発明を実施するための最良の形態】
【００１２】
この発明をより詳細に説明するため、添付の図面に従ってこれを説明する。なお、各図中、同一又は相当する部分には同一の符号を付しており、その重複説明は適宜に簡略化ないし省略する。
【００１３】
実施の形態１．
図１はこの発明の実施の形態１における展望用エレベータのかご室の側壁と天井の固定部を示す縦断面図、図２はこの発明の実施の形態１における展望用エレベータのかご室の側壁と天井の固定部を示す平面図である。
【００１４】
一般に、展望用エレベータにおいては、側壁４と天井５をガラスで形成されるかご室が、一部をガラスで形成される昇降路（図示せず）内を昇降することにより、かご室内から昇降路外を展望できるように構成されている。特に、かご室の天井５がガラスで形成されている場合には、かご室から上方も展望できるようになるため、かご室からの展望範囲が広がる利点がある。この発明の展望用エレベータのかご室は、特に、かご室の側壁４と天井５に形成されるガラス同士の合わせ目に特徴を有するものである。
【００１５】
図において、４は合わせガラスで形成されるかご室の側壁、５は合わせガラスで形成され、かご室の側壁４の上縁部と近接して一縁部が配置され、かご室の側壁４とガラス同士の合わせ目を形成する天井、９はかご室の側壁４と天井５の所定箇所で、側壁４と天井５の双方を固定するガラス保持部材である。
【００１６】
ガラス保持部材９は、かご室の側壁４の上縁部と天井５の一縁部で形成される角部近傍で、かご室の側壁４外面と天井５外面に沿って配置される縦断面Ｌ字状の天井固定金具９ａと、この天井固定金具９ａの垂直片内面に上部垂直片が皿ねじ（図示せず）及び第一の袋ナット１１ａにより固定される縦断面Ｚ字状の側壁挟み込み金具９ｂから構成され、天井固定金具９ａの水平片、側壁挟み込み金具９ｂの上部垂直片及び中央水平部により形成される第一の凹部９ｃと、天井固定金具９ａの垂直片、側壁挟み込み金具９ｂの中央水平部、下部垂直片により形成される第二の凹部９ｄを有している。
【００１７】
ガラス保持部材９の第一の凹部９ｃには、かご室の天井５の一縁部が側壁挟み込み金具９ｂの上部垂直片との間及び中央水平部との間に、かご室の天井５の破損防止、設置誤差の吸収を行う弾性体からなる緩衝材１２ａ、１２ｂを介在させて配置されている。また、天井固定金具９ａの水平片の一端近傍の上面には、化粧座金１３を介して第二の袋ナット１１ｂが配置されている。この第二の袋ナット１１ｂに、皿ねじからなる締結具８がかご室の天井５の下方からかご室の天井５及び天井固定金具９ａに形成される貫通穴を貫通してねじ込まれ、かご室の天井５とガラス保持部材９の一片が固定されている。
【００１８】
一方、ガラス保持部材９の第二の凹部９ｄには、かご室の側壁４の上縁部が、側壁挟み込み金具９ｂの中央水平部との間に、かご室の側壁４の破損防止、設置誤差の吸収を行う弾性体からなる緩衝材１２ｃを介在させて配置されている。また、かご室の側壁４の上縁部両面及びガラス保持部材９の第二の凹部９ｄ内面で形成される挟み込み面の間で、第二の凹部９ｄの底部近傍に、シーリングの深さを調整し、かつかご室の側壁４の仮固定時におけるがたつきを防止する一対の弾性体からなるバックアップ材１４が配置されており、かご室の側壁４の位置決めがなされている。さらに、かご室の側壁４の上縁部両面及びガラス保持部材９の第二の凹部９ｄ内面で形成される挟みこみ面の間には、下方からバックアップ材１４に到達するまでシーリング材１０が充填され、かご室の側壁４はガラス保持部材９の他片に挟み込まれて固定されている。なお、かご室の側壁４と天井５で形成されるガラス同士の合わせ目において、ガラス保持部材９が配置されていない箇所にもシーリング材１０が充填されている。
【００１９】
このように構成された展望用エレベータのかご室では、かご室の側壁４と天井５の固定時において、まず、ガラス保持部材９の第一の凹部９ｃに、緩衝材１２ａ、１２ｂを介在させて、かご室の天井５の一縁部が配置され、かご室の天井５及びガラス保持部材９の天井固定金具９ａに形成される貫通穴を貫通する締結具８が下方から第二の袋ナット１１ｂにねじ込まれ、かご室の天井５とガラス保持部材９の一片が固定される。その後、かご室の天井５とともにガラス保持部材９がかご室の側壁４上方より移動され、ガラス保持部材９の第二の凹部９ｄに、緩衝材１２ｃを介在させて、かご室の側壁４の上縁部が配置される。この時、バックアップ材１４がかご室の側壁４の上縁部両面及びガラス保持部材９の第二の凹部９ｄ内面で形成される挟み込み面の間に配置され、かご室の側壁４の位置決めがなされてがたつきなく仮固定される。次いで、かご室の側壁４及びガラス保持部材９の第二の凹部９ｄ内面で形成される挟み込み面との間に下方からバックアップ材１４に到達するまでシーリング材１０が充填され、かご室の側壁４はガラス保持部材９の他片に挟み込まれて固定される。最後に、かご室の側壁４と天井５で形成されるガラス同士の合わせ目において、ガラス保持部材９が配置されていない箇所にもシーリング材１０が充填される。
【００２０】
以上で説明した実施の形態１によれば、かご室の側壁４は、穴加工を施す必要がないため、互いの貫通穴の相対的な位置精度が悪いためにかご室の側壁４と天井５が固定できなかったり、無理に締結具８で固定しようとして破損するといったこともない。また、かご室の側壁４の上縁部両面及びガラス保持部材９の第二の凹部９ｄ内面で形成される挟み込み面の間にはバックアップ材１４が配置されるため、かご室の側壁４をがたつきなく仮固定でき、このバックアップ材１４に到達するまでシーリング材１０を充填するだけでかご室の側壁４と天井５が確実に固定できる。加えて、かご室の天井５の一縁部とガラス保持部材９の第一の凹部９ｃとの間及びかご室の側壁４の上縁部とガラス保持部材９の第二の凹部９ｄとの間に、それぞれ、緩衝材１２ａ、１２ｂ及び１２ｃが介在されているため、かご室の天井５及び側壁４の破損防止、設置誤差の吸収が行える。なお、穴加工を施さないかご室の側壁４には、球面や曲面を有する特殊ガラス、安価なフロートガラス、曲げ合わせガラス等も用いることができる。
【００２１】
実施の形態２．
実施の形態２では、かご室の天井５に穴加工を施し、ガラス保持部材９の一片と締結具８により固定し、かご室の側壁４をガラス保持部材９の他片に挟み込んで固定する構成とした実施の形態１とは、逆に、かご室の側壁４に穴加工を施し、ガラス保持部材９の一片と締結具８により固定し、かご室の天井５をガラス保持部材９の他片に挟み込んで固定する構成とした。このように構成された展望用エレベータのかご室においても実施の形態１と同様の効果を得ることができる。
【００２２】
また、近接するかご室の側壁４同士の固定にガラス保持部材９を用いてもよい。即ち、互いの一縁部を近接させて配置され、ガラス同士の合わせ目が形成されるのであれば、かご室の側壁４と天井５、側壁同士４等の固定箇所の制限なく、ガラス保持部材９の一片が貫通穴を貫通する締結具８により一方のガラスと固定されるとともに、他片が他方のガラスの一縁部を挟み込んで固定することにより、ガラスの双方を固定することができる。
【図面の簡単な説明】
【００２３】
【図１】この発明の実施の形態１における展望用エレベータのかご室の側壁と天井の固定部を示す縦断面図である。
【図２】この発明の実施の形態１における展望用エレベータのかご室の側壁と天井の固定部を示す平面図である。
【図３】従来の展望用エレベータのかご室の平面図である。
【図４】従来の展望用エレベータのかご室の横断面図である。
【図５】図３のＡ−Ａ線における断面図である。
【図６】図３のＢ−Ｂ線における断面図である。
【図７】図３のＣ−Ｃ線における断面図である。
【図８】従来の展望用エレベータにおけるかご室の側壁と天井の第一の固定部を示す図７のＤ部拡大図である。
【図９】従来の展望用エレベータにおけるかご室の側壁と天井の第二の固定部を示す図８相当図である。
【符号の説明】
【００２４】
１  エレベータのかご室の床面
２  かごの戸
３  巾木
４  かご室の側壁
５  かご室の天井
６  手摺
７  かご操作盤
８  締結具
９  ガラス保持部材
９ａ  天井固定金具
９ｂ  側壁挟み込み金具
９ｃ  第一の凹部
９ｄ  第二の凹部
１０  シーリング材
１１ａ  第一の袋ナット
１１ｂ  第二の袋ナット
１２ａ  緩衝材
１２ｂ  緩衝材
１２ｃ  緩衝材
１３  化粧座金
１４  バックアップ材
【図１】
2008063096.tif 000003
【図２】
2008063096.tif 000004
【図３】
2008063096.tif 000005
【図４】
2008063096.tif 000006
【図５】
2008063096.tif 000007
【図６】
2008063096.tif 000008
【図７】
2008063096.tif 000009
【図８】
2008063096.tif 000010
【図９】
2008063096.tif 000011